(57)【要約】【課題】ゴルフ場のグリーン等の傾斜角度を容易に測定することができる傾斜測定器を提供する。【解決手段】透明な材料で構成された平面視矩形状の薄板型容器１０と、薄板型容器１０の内部に設けられた水平指示手段と、を備える傾斜測定器１であって、薄板型容器１０の少なくとも一方の表面には、薄板型容器１０の一辺１２に平行なターゲットライン１５と、傾斜角度を測定するための目盛り１６と、が記されている。本測定器１は、薄板型容器１０の一辺１２が測定対象となる地面Ｇに平行になるように薄板型容器１０を地面Ｇに載置した際に水平指示手段によって指示される水平線２３と、ターゲットライン１５と、がなす角度を目盛り１６で測定することにより、地面Ｇの傾斜角度θ１を測定することを可能とする。【選択図】図２
2012202849.tif 000002
【特許請求の範囲】
【請求項１】
透明又は半透明な材料で構成された平面視矩形状の薄板型容器と、前記薄板型容器の内部に設けられた水平指示手段と、を備える傾斜測定器であって、
前記薄板型容器の少なくとも一方の表面には、前記薄板型容器の一辺に平行なターゲットラインと、傾斜角度を測定するための目盛りと、が記されており、
前記薄板型容器の前記一辺が測定対象となる地面に平行になるように前記薄板型容器を前記地面に載置した際に前記水平指示手段によって指示される水平線と、前記ターゲットラインと、がなす角度を前記目盛りで測定することにより、前記地面の傾斜を測定することを可能とする、
傾斜測定器。
【請求項２】
前記水平指示手段は、
前記薄板型容器の内部に充填された２種類の比重の異なる液体である、
請求項１に記載の傾斜測定器。
【請求項３】
前記水平指示手段は、
前記薄板型容器の中央部に回動自在に取り付けられ前記薄板型容器の中央部から相互に反対方向に直線的に延在する腕部を有する回動片と、前記回動片の前記腕部の中央部の鉛直方向下方に取り付けられた錘と、からなるものである、
請求項１に記載の傾斜測定器。
【請求項４】
中央に凹部を有する平面視矩形状の薄板型部材と、前記薄板型部材の前記凹部に嵌め込まれ水平指示手段を有する電子機器と、を備える傾斜測定器であって、
前記電子機器は、
前記薄板型部材の一辺に平行なターゲットラインと、前記薄板型部材の前記一辺が測定対象となる地面に平行になるように前記薄板型部材を前記地面に載置した際に前記水平指示手段によって指示される水平線と、傾斜角度を測定するための目盛りと、を表示するための表示画面を有し、前記ターゲットラインと前記水平線とがなす角度を前記目盛りで測定することにより、前記地面の傾斜を測定することを可能とする、
傾斜測定器。
【請求項５】
請求項１から４の何れか一項に記載の傾斜測定器を用いて地面の傾斜角度を測定する方法であって、
前記傾斜測定器の一辺が測定対象となる地面に平行になるように前記傾斜測定器を前記地面に載置する測定器載置工程と、
前記傾斜測定器の前記水平指示手段によって指示される水平線と前記ターゲットラインとがなす角度を前記目盛りで測定する傾斜角度測定工程と、を備える、
傾斜測定方法。
【請求項６】
請求項１から４の何れか一項に記載の傾斜測定器を用いて基準地点と目標地点とがなす傾斜角度を測定する方法であって、
前記基準地点の所定高さに配置した前記傾斜測定器の前記ターゲットラインが前記目標地点のターゲットに向くように前記傾斜測定器を傾斜させる測定器操作工程と、
前記傾斜測定器の前記水平指示手段によって指示される水平線と前記ターゲットラインとがなす角度を前記目盛りで測定する傾斜角度測定工程と、を備える、
傾斜測定方法。
【発明の詳細な説明】
【技術分野】
【０００１】
本発明は、傾斜測定器及び傾斜測定方法に関する。
【背景技術】
【０００２】
現在、ゴルフ場のグリーン等の地面の傾斜や起伏を判別するための技術が種々提案されている。例えば、近年においては、レンズ又はプレートの内部空間に色付きの液体を液面が生ずるように封入した眼鏡装着式の傾斜認識装置が提案されている（例えば、特許文献１参照）。かかる傾斜認識装置によれば、どんな状態においても常に水平を保つ液体の性質を利用することによりグリーンの傾斜や起伏を容易に判別することができる、とされている。
【先行技術文献】
【特許文献】
【０００３】
【特許文献１】特開２００４−３１７１２４号公報
【発明の概要】
【発明が解決しようとする課題】
【０００４】
しかし、特許文献１に記載されたような従来の傾斜認識装置は眼鏡に装着して使用するものであるため、装着者の姿勢や眼鏡の傾き等によって色付きの液体の液面が変動することとなり、グリーンの傾斜や起伏を正確に判別することは困難であると考えられる（眼鏡がグリーンと同じ角度だけ傾くとは限らないためである）。また、このような従来の傾斜認識装置には傾斜角度測定のための目盛りが設定されていないため、グリーンの傾きを大雑把に把握することができたとしても、その傾斜角度を正確に測定することはできないという問題があった。
【０００５】
本発明は、かかる事情に鑑みてなされたものであり、ゴルフ場のグリーン等の傾斜角度を容易に測定することができる傾斜測定器を提供することを目的とする。
【課題を解決するための手段】
【０００６】
前記目的を達成するため、本発明に係る第一の傾斜測定器は、透明又は半透明な材料で構成された平面視矩形状の薄板型容器と、薄板型容器の内部に設けられた水平指示手段と、を備える傾斜測定器である。本測定器の薄板型容器の少なくとも一方の表面には、薄板型容器の一辺に平行なターゲットラインと、傾斜角度を測定するための目盛りと、が記されている。本測定器は、薄板型容器の一辺が測定対象となる地面に平行になるように薄板型容器を地面に載置した際に水平指示手段によって指示される水平線と、ターゲットラインと、がなす角度を目盛りで測定することにより、地面の傾斜角度を測定することを可能とするものである。
【０００７】
かかる構成を採用すると、地面（例えばゴルフ場のグリーン）の傾斜角度をきわめて容易に測定することができる。すなわち、本測定器の薄板型容器を測定対象となる地面に載置して薄板型容器の一辺を地面に平行にし、この際に薄板型容器の内部に設けられた水平指示手段によって指示される水平線と、薄板型容器の表面に記されたターゲットラインと、がなす角度を目盛りで測定することにより、地面の傾斜角度を測定することができる。
【０００８】
前記第一の傾斜測定器において、水平指示手段として、薄板型容器の内部に充填された２種類の比重の異なる液体を採用することができる。
【０００９】
かかる構成を採用すると、薄板型容器の傾きにかかわらず比重の大きい液体が比重の小さい液体よりも常に薄板型容器の鉛直方向下方領域に位置することとなり、これら２種類の液体の境界線が水平線となる。従って、この水平線とターゲットラインとがなす角度を目盛りで測定することにより、地面の傾斜角度を容易に測定することができる。
【００１０】
また、前記第一の傾斜測定器において、薄板型容器の中央部に回動自在に取り付けられ薄板型容器の中央部から相互に反対方向に直線的に延在する腕部を有する回動片と、回動片の腕部の中央部の鉛直方向下方に取り付けられた錘と、からなる水平指示手段を採用することもできる。
【００１１】
かかる構成を採用すると、薄板型容器の傾きにかかわらず回動片の腕部の中央部が錘に作用する重力により常に鉛直方向下方に向けられるため、腕部が常に水平方向に延在するように回動片が回動することとなる。従って、回動片の腕部の延在方向に沿った水平線とターゲットラインとがなす角度を目盛りで測定することにより、地面の傾斜角度を容易に測定することができる。
【００１２】
本発明に係る第二の傾斜測定器は、中央に凹部を有する平面視矩形状の薄板型部材と、薄板型部材の凹部に嵌め込まれ水平指示手段を有する電子機器と、を備える傾斜測定器である。本測定器の電子機器は、薄板型部材の一辺に平行なターゲットラインと、薄板型部材の一辺が測定対象となる地面に平行になるように薄板型部材を地面に載置した際に水平指示手段によって指示される水平線と、傾斜角度を測定するための目盛りと、を表示するための表示画面を有し、ターゲットラインと水平線とがなす角度を目盛りで測定することにより、地面の傾斜角度を測定することを可能とするものである。
【００１３】
かかる構成を採用すると、地面（例えばゴルフ場のグリーン）の傾斜角度をきわめて容易に測定することができる。すなわち、本測定器の薄板型部材を測定対象となる地面に載置して薄板型部材の一辺を地面に平行にし、この際に薄板型部材の中央凹部に嵌め込まれた電子機器の表示画面に表示されるターゲットラインと水平線とがなす角度を目盛りで測定することにより、地面の傾斜角度を測定することができる。
【００１４】
本発明に係る第一の傾斜測定方法は、前記第一又は第二の傾斜測定器を用いて地面の傾斜角度を測定する方法であって、傾斜測定器の一辺が測定対象となる地面に平行になるように傾斜測定器を地面に載置する測定器載置工程と、傾斜測定器の水平指示手段によって指示される水平線とターゲットラインとがなす角度を目盛りで測定する傾斜角度測定工程と、を備えるものである。
【００１５】
かかる方法を採用すると、本発明に係る第一又は第二の傾斜測定器を用いて、地面（例えばゴルフ場のグリーン）の傾斜角度を測定することができる。
【００１６】
本発明に係る第二の傾斜測定方法は、前記第一又は第二の傾斜測定器を用いて基準地点と目標地点とがなす傾斜角度を測定する方法であって、基準地点の所定高さに配置した傾斜測定器のターゲットラインが目標地点のターゲットに向くように傾斜測定器を傾斜させる測定器操作工程と、傾斜測定器の水平指示手段によって指示される水平線とターゲットラインとがなす角度を目盛りで測定する傾斜角度測定工程と、を備えるものである。
【００１７】
かかる方法を採用すると、本発明に係る第一又は第二の傾斜測定器を用いて、基準地点（例えばティー・グラウンド）と目標地点（例えばグリーン上のピン）とがなす傾斜角度を測定することができる。
【発明の効果】
【００１８】
本発明によれば、ゴルフ場のグリーン等の傾斜角度を容易に測定することができる傾斜測定器を提供することが可能となる。
【図面の簡単な説明】
【００１９】
【図１】本発明の第一実施形態に係る傾斜測定器の構成を説明するための構成図である。
【図２】図１に示す傾斜測定器を用いてグリーンのピン周辺の上下方向の傾斜角度を測定する方法を説明するための説明図である。
【図３】図１に示す傾斜測定器を用いて測定した上下方向の傾斜角度に基づいて高低差を推定する際に用いる表である。
【図４】図１に示す傾斜測定器を用いてグリーンのピン周辺の左右方向の傾斜角度を測定する方法を説明するための説明図である。
【図５】図１に示す傾斜測定器を用いて測定した左右方向の傾斜角度に基づいてターゲット方向を特定する際に用いる表である。
【図６】図１に示す傾斜測定器を用いて測定した左右方向の傾斜角度と図５に示す表とを用いて特定したターゲット方向の具体例を示す説明図である。
【図７】（Ａ）はターゲット方向を修正することなくショットを打つ場合のゴルフクラブの向き及びゴルフボールの軌道を上方から見た場合の図であり、（Ｂ）は図６に示すターゲット方向に向けてショットを打つ場合のゴルフクラブの向き及びゴルフボールの軌道を上方から見た場合の図である。
【図８】図１に示す傾斜測定器を用いてグリーン全体の仮想傾斜角度を測定する方法を説明するための説明図である。
【図９】図１に示す傾斜測定器を用いて基準地点と目標地点とがなす傾斜角度を測定する方法を説明するための説明図である。
【図１０】本発明の第二実施形態に係る傾斜測定器の構成を説明するための構成図である。
【図１１】本発明の第三実施形態に係る傾斜測定器の構成を説明するための構成図である。
【発明を実施するための形態】
【００２０】
以下、図面を参照して、本発明の実施形態について説明する。
【００２１】
[第一実施形態]
最初に、図１〜図９を用いて、本発明の第一実施形態に係る傾斜測定器１及びこれを用いた傾斜測定方法について説明する。なお、本実施形態に係る傾斜測定器１は、本発明における第一の傾斜測定器に相当するものである。
【００２２】
まず、図１を用いて、本実施形態に係る傾斜測定器１の構成について説明する。傾斜測定器１は、平面視矩形状の薄板型容器１０を備えている。薄板型容器１０は、透明な樹脂材料（例えばアクリル樹脂）で構成されており、内部に封入された液体の色が外部から視認できるようになっている。薄板型容器１０は、二組の相互に平行な辺（上辺１１及び下辺１２、右辺１３及び左辺１４）を有しており、その平面形状が矩形状（長方形状）を呈している。薄板型容器１０の大きさは、ゴルフのスコアカードとほぼ同じ大きさに設定されている。なお、薄板型容器１０を構成する材料は、内部に封入された液体の色が外部から視認できるようなものであればよく、例えば半透明な材料を採用することもできる。
【００２３】
薄板型容器１０の一方の表面には、薄板型容器１０の上辺１１及び下辺１２に平行なターゲットライン１５が形成されている。ターゲットライン１５は、薄板型容器１０の表面からわずかに突出した狭幅の直線状凸部である。また、薄板型容器１０の一方の表面には、図１に示すように、傾斜角度を測定するためのスケール（目盛り）１６が記されている。ターゲットライン１５及びスケール１６は、地面等の傾斜角度の測定に用いられるものである。
【００２４】
薄板型容器１０の内部には、液体が充填される空隙が形成されており、その空隙には、種類の比重の異なる液体２１、２２が充填されている。比重の大きい液体２１には着色が施されており、図１に示すように、比重の大きい液体２１と比重の小さい液体２２との境界線２３が視認できるようになっている。これら２種類の液体２１、２２は、本発明における水平指示手段として機能するものである。本実施形態においては、初期状態（薄板型容器１０の上辺１１及び下辺１２が水平になっている状態）でターゲットライン１５と境界線２３とが重ねられるように構成されている。
【００２５】
次に、図２〜図８を用いて、本実施形態に係る傾斜測定器１を用いて、ゴルフ場のグリーンＧの傾斜角度等を測定する方法について説明する。
【００２６】
＜ピン周辺上下傾斜角度の測定＞
最初に、図２を用いて、グリーンＧのピンＰ周辺の上下方向における傾斜角度（以下、「上下角度」という）を測定する方法について説明する。まず、使用者は、図２に示すように傾斜測定器１をグリーンＧの所定位置（例えばゴルフボールＢの近傍位置）に載置する（測定器載置工程）。この際、薄板型容器１０の下辺１２が測定対象となるグリーンＧに平行になるように、かつ、所定位置とピンＰとを結ぶ直線に薄板型容器１０が平行になるように、傾斜測定器１を載置する。
【００２７】
その後、使用者は、傾斜測定器１の薄板型容器１０の内部に充填された２種類の液体２１、２２の境界線２３（水平線）と、薄板型容器１０の一方の表面に形成されたターゲットライン１５と、がなす角度θ１をスケール１６で測定する（傾斜角度測定工程）。このように測定された角度θ１は、図２に示すように、測定対象であるグリーンＧの上下角度と一致することとなる。
【００２８】
なお、使用者は、傾斜測定器１を用いて測定したグリーンＧの上下角度と、図３に示す表と、を用いて、使用者の立つ位置（ゴルフボールＢが載置された位置）の高さとピンＰが立つ位置の高さの差（高低差）を推定することができる。例えば、使用者の立つ位置からピンＰが立つ位置までの水平距離Ｙが「１００ヤード」であり、傾斜測定器１を用いて測定した上下角度θ１が「６．０°」である場合には、図３の表から高低差Ｚは「１０．５ヤード」と推定される。また、図３の表には、高低差ＺがピンＰの長さ（２．２４ヤード）の何倍であるかが表示されている（例えば高低差Ｚ「１０．５ヤード」はピンＰの長さの「４．７倍」である）。使用者は、傾斜測定器１とともに図３に示す表を携帯することにより高低差Ｚを容易に推定することができ、推定した高低差Ｚを参照して比較的正確にショットを打つことができる。
【００２９】
＜ピン周辺左右傾斜角度の測定＞
次いで、図４を用いて、グリーンＧのピンＰ周辺の左右方向における傾斜角度（以下、「左右角度」という）を測定する方法について説明する。まず、使用者は、図４に示すように傾斜測定器１をグリーンＧの所定位置（例えばゴルフボールＢの近傍位置）に載置する（測定器載置工程）。この際、薄板型容器１０の下辺１２が測定対象となるグリーンＧに平行になるように、かつ、所定位置とピンＰとを結ぶ直線に対して薄板型容器１０が直角になるように、傾斜測定器１を載置する。
【００３０】
その後、使用者は、傾斜測定器１の薄板型容器１０の内部に充填された２種類の液体２１、２２の境界線２３（水平線）と、薄板型容器１０の一方の表面に形成されたターゲットライン１５と、がなす角度θ２をスケール１６で測定する（傾斜角度測定工程）。このように測定された角度θ２は、図３に示すように、測定対象であるグリーンＧの左右角度と一致することとなる。
【００３１】
なお、使用者は、傾斜測定器１を用いて測定したグリーンＧの左右角度と、図５に示す表と、を用いて、グリーンＧの左右角度に対応するターゲット方向（ターゲット角及びターゲット横方向距離）を特定することができる。例えば、使用者の立つ位置からピンＰが立つ位置までの推定距離が「１５０ヤード」である場合には、まず図５の表に基づいて「６番アイアン（ロフト角３１°）」のクラブを選択する。そして、傾斜測定器１を用いて測定した左右角度θ２が「１０°」である場合には、図５の表からターゲット角は「３．４４°」、ターゲット横方向距離は「１０．８ヤード」と推定される。
【００３２】
使用者は、傾斜測定器１とともに図５に示す表を携帯することによりターゲット方向（ターゲット角及びターゲット横方向距離）を容易に特定することができ、特定したターゲット方向に向けてショットを打つことにより、グリーンＧの左右角度に起因するショットのずれを修正することができる。すなわち、使用者の立つ位置からピンＰが立つ位置までの推定距離が「１５０ヤード」であってグリーンＧの左右角度θ２が「１０°」である場合にターゲット方向に修正を加えないと、図６及び図７（Ｂ）に示すように、ピンＰから左方向に１０．８ヤード（左方向に「３．４４°」）だけショットがずれることとなる。このようなショットのずれは、図７（Ａ）に示すように右方向に「３．４４°」だけショット方向を変更することにより修正される。
【００３３】
＜仮想傾斜角度の測定＞
次いで、図８を用いて、グリーンＧ全体の仮想傾斜角度を測定する方法について説明する。まず、使用者は、グリーンＧの外部（例えばフェアウェイ）の所定位置からグリーンＧ全体を視認して、図８（Ａ）に示すようにグリーンＧの仮想傾斜線ＬＧ（仮想水平線ＬＨに対してある角度をなしグリーンＧの斜度を表す仮想線）を設定する（仮想傾斜線設定工程）。次いで、使用者は、傾斜測定器１の薄板型容器１０を把持し、薄板型容器１０の上辺１１（下辺１２）が仮想傾斜線ＬＧと平行になるように薄板型容器１０を傾ける（測定器操作工程）。
【００３４】
その後、使用者は、傾斜測定器１の薄板型容器１０の内部に充填された２種類の液体２１、２２の境界線２３（水平線）と、薄板型容器１０の一方の表面に形成されたターゲットライン１５と、がなす角度θ３をスケール１６で測定する（傾斜角度測定工程）。このように測定された角度θ３は、図８（Ａ）に示すように、グリーンＧを外部の所定位置から見た場合のグリーンＧの仮想傾斜角度（仮想水平線ＬＨと仮想傾斜線ＬＧとがなす角度）と一致することとなる。使用者は、図８（Ｂ）に示すように、２方向（Ａ方向及びＢ方向）からグリーンＧの仮想傾斜角度を測定することができる。また、使用者は、図８（Ｃ）及び図８（Ｄ）に示すように、ピンＰに近づいた段階で上記と同様の工程で測定を行うことにより、仮想傾斜線ＬＧ及び仮想傾斜角度を修正することができる。
【００３５】
使用者は、このように測定された仮想傾斜角度を考慮してグリーンＧ全体の傾斜や起伏の状況を把握した上で、アプローチショットを打つことが可能となる。
【００３６】
＜目標地点までの斜度測定＞
続いて、図９を用いて、本実施形態に係る傾斜測定器１を用いて、基準地点と目標地点とがなす傾斜角度を測定する方法について説明する。まず、使用者Ｕは、図９（Ａ）に示すように所定の基準地点（例えばティーグラウンドＴ上の所定地点）に立ち、傾斜測定器１を把持して目の高さＨに配置し、薄板型容器１０に形成されたターゲットライン１５が目標地点（例えばグリーンＧ上のピンＰがある地点）のターゲット（例えば使用者Ｕの目の高さと同じ高さＨにあるポイントＰ０）に向くように傾斜測定器１を傾斜させる（測定器操作工程）。
【００３７】
その後、使用者は、傾斜測定器１の薄板型容器１０の内部に充填された２種類の液体２１、２２の境界線２３（水平線）と、薄板型容器１０の一方の表面に形成されたターゲットライン１５と、がなす角度θ４をスケール１６で測定する（傾斜角度測定工程）。このように測定された角度θ４は、基準地点（ティーグラウンドＴ上の所定地点）と目標地点（ピンＰがある地点）とのなす傾斜角度と一致することとなる。図９（Ｂ）は傾斜角度が打ち下ろし角度である場合（ティーグラウンドＴに対してグリーンＧが鉛直方向下方にある場合）を示す図であり、図９（Ｃ）は傾斜角度が打ち上げ角度である場合（ティーグラウンドＴに対してグリーンＧが鉛直方向上方にある場合）を示す図である。
【００３８】
使用者は、このように測定された傾斜角度を考慮して、ティーグラウンドＴに対するグリーンＧ上のピンＰの相対的な位置を把握した上で、ティーショットを打つことが可能となる。
【００３９】
以上説明した実施形態に係る傾斜測定器１においては、ゴルフ場のグリーンＧの傾斜角度をきわめて容易に測定することができる。すなわち、傾斜測定器１の薄板型容器１０を測定対象となるグリーンＧに載置して薄板型容器１０の下辺１２をグリーンＧに平行にし、この際に薄板型容器１０の内部に設けられた水平指示手段によって指示される水平線と、薄板型容器１０の表面に形成されたターゲットライン１５と、がなす角度をスケール１６で測定することにより、グリーンＧの傾斜角度を測定することができる。特に、本実施形態に係る傾斜測定器１においては、薄板型容器１０の傾きにかかわらず比重の大きい液体２１が比重の小さい液体２２よりも常に薄板型容器１０の鉛直方向下方領域に位置することとなり、これら２種類の液体２１、２２の境界線２３が水平線となる。従って、この水平線とターゲットライン１５とがなす角度をスケール１６で測定することにより、グリーンＧの傾斜角度を容易に測定することができる。
【００４０】
また、以上説明した実施形態に係る傾斜測定器１を用いて、グリーンＧのピンＰ周辺における上下左右傾斜角度を測定することができるので、使用者は比較的正確にグリーンＧのピンＰ周辺の傾斜や起伏の状況を把握した上でパットを打つことが可能となる。また、本測定器１を用いて、グリーンＧ全体の仮想傾斜角度を測定することもできるので、使用者は、グリーンＧ全体の傾斜や起伏の状況を把握した上でアプローチショットを打つことが可能となる。また、本測定器１を用いて、基準地点（ティーグラウンドＴ上の所定地点）と目標地点（ピンＰがある地点）とのなす傾斜角度を測定することができるので、使用者は、ティーグラウンドＴに対するグリーンＧ上のピンＰの相対的な位置を把握した上で、ティーショットを打つことが可能となる。
【００４１】
[第二実施形態]
続いて、図１０を用いて、本発明の第二実施形態に係る傾斜測定器２について説明する。本実施形態に係る傾斜測定器２は、第一実施形態に係る傾斜測定器１の水平指示手段の構成を変更したものであり、その他の構成については第一実施形態と実質的に同一である。このため、異なる構成を中心に説明することとし、重複する構成については第一実施形態と同様の符号を付して詳細な説明を省略することとする。なお、本実施形態に係る傾斜測定器２は、本発明における第一の傾斜測定器に相当するものである。
【００４２】
本実施形態に係る傾斜測定器２は、平面視矩形状の薄板型容器１０を備えており、薄板型容器１０の内部には、Ｔ字型の回動片２４及び錘２５を収納するための空隙が形成されている。回動片２４は、薄板型容器１０の中央部Ｃに回動自在に取り付けられており、薄板型容器１０の中央部Ｃから相互に反対方向に直線的に延在する腕部２４ａを有している。また、回動片２４は、腕部２４ａの中央部から下方に延在する胴部２４ｂを有しており、この胴部２４ｂの下部に錘２５が固定されている。これら回動片２４及び錘２５は、本発明における水平指示手段として機能するものである。本実施形態においては、初期状態（薄板型容器１０の上辺１１及び下辺１２が水平になっている状態）でターゲットライン１５と回動片２４の腕部２４ａが重ねられるように構成されている。なお、薄板型容器１０の内部には、回動片２４の回動範囲を制限するためのストッパ２６が二つ設けられている。
【００４３】
以上説明した実施形態に係る傾斜測定器２においては、ゴルフ場のグリーンの傾斜角度をきわめて容易に測定することができる。すなわち、傾斜測定器２の薄板型容器１０を測定対象となるグリーンに載置して薄板型容器１０の下辺１２をグリーンに平行にし、この際に薄板型容器１０の内部に設けられた水平指示手段によって指示される水平線と、薄板型容器１０の表面に形成されたターゲットライン１５と、がなす角度をスケール１６で測定することにより、グリーンの傾斜角度を測定することができる。特に、本実施形態に係る傾斜測定器２においては、薄板型容器１０の傾きにかかわらず回動片２４の腕部２４ａの中央部から下方に延在する胴部２４ｂが錘２５に作用する重力により常に鉛直方向下方に向けられるため、腕部２４ａが常に水平方向に延在するように回動片２４が回動することとなる。従って、回動片２４の腕部２４ａの延在方向に沿った水平線とターゲットライン１５とがなす角度をスケール１６で測定することにより、グリーンの傾斜角度を容易に測定することができる。
【００４４】
また、第一実施形態に係る傾斜測定器１と同様に、本実施形態に係る傾斜測定器２を用いてゴルフ場のグリーンのピン周辺における上下左右傾斜角度を測定することができるので、使用者は比較的正確にグリーンのピン周辺の傾斜や起伏の状況を把握した上でパットを打つことが可能となる。また、第一実施形態に係る傾斜測定器１と同様に、本測定器２を用いてグリーン全体の仮想傾斜角度を測定することもできるので、使用者は、グリーン全体の傾斜や起伏の状況を把握した上でアプローチショットを打つことが可能となる。また、第一実施形態に係る傾斜測定器１と同様に、本測定器２を用いて基準地点（ティーグラウンド上の所定地点）と目標地点（ピンがある地点）とのなす傾斜角度を測定することができるので、使用者は、ティーグラウンドに対するグリーン上のピンの相対的な位置を把握した上で、ティーショットを打つことが可能となる。
【００４５】
[第三実施形態]
続いて、図１１を用いて、本発明の第三実施形態に係る傾斜測定器３について説明する。なお、本実施形態に係る傾斜測定器３は、本発明における第二の傾斜測定器に相当するものである。
【００４６】
本実施形態に係る傾斜測定器３は、中央に凹部３０ａを有する薄板型部材３０と、薄板型部材３０の凹部３０ａに嵌め込まれる電子機器４０と、を備えている。薄板型部材３０は、二組の相互に平行な辺（上辺３１及び下辺３２、右辺３３及び左辺３４）を有しており、その平面形状が矩形状（長方形状）を呈している。薄板型部材３０の大きさは、ゴルフのスコアカードとほぼ同じ大きさに設定されている。薄板型部材３０は、透明な樹脂材料（例えばアクリル樹脂）等で構成することができる。
【００４７】
薄板型部材３０の一方の表面には、薄板型部材３０の上辺３１及び下辺３２に平行なターゲットライン３５が形成されている。ターゲットライン３５は、電子機器４０の後述する表示画面４１に表示されるターゲットライン４２と一直線上に並ぶように位置決めされている。薄板型部材３０の凹部３０ａは、電子機器４０を嵌め込んで固定することができるように構成されており、その大きさや形状は電子機器４０の大きさや形状に合わせて設定される。なお、凹部３０ａに代えて薄板型部材３０の中央に貫通孔を形成し、この貫通孔に電子機器４０を嵌め込んで固定してもよい。
【００４８】
電子機器４０は、薄板型部材３０の凹部３０ａに嵌め込まれるような平面視矩形状の外形を有しており、その一方の表面には、各種情報を表示する表示画面４１が設けられている。電子機器４０には、図示されていないＣＰＵやメモリ等が内蔵されており、メモリに記録された各種制御プログラムやアプリケーションをＣＰＵが読み込んで起動させることにより、各種情報が表示画面４１に表示されるようになっている。
【００４９】
具体的には、電子機器４０に内蔵された水平指示器アプリケーションを起動させると、薄板型部材３０の上辺３１及び下辺３２に平行なターゲットライン４２と、薄板型部材３０の傾きに関係なく常時水平方向を示す水平線４３と、傾斜角度を測定するためのスケール（目盛り）４４と、が表示画面４１に表示される。これらターゲットライン４２、水平線４３及びスケール４４は、地面等の傾斜角度の測定に用いられるものである。
【００５０】
以上説明した実施形態に係る傾斜測定器３においては、ゴルフ場のグリーン等の傾斜をきわめて容易に測定することができる。すなわち、本測定器３の薄板型部材３０を測定対象となるグリーンに載置して薄板型部材３０の下辺３２を地面に平行にし、この際に薄板型部材３０の中央凹部３０ａに嵌め込まれた電子機器４０の表示画面４１に表示されるターゲットライン４２と水平線４３とがなす角度をスケール４４で測定することにより、グリーンの傾斜角度を測定することができる。
【００５１】
また、第一及び第二実施形態に係る傾斜測定器１・２と同様に、本実施形態に係る傾斜測定器３を用いてゴルフ場のグリーンのピン周辺における上下左右傾斜角度を測定することができるので、使用者は比較的正確にグリーンのピン周辺の傾斜や起伏の状況を把握した上でパットを打つことが可能となる。また、第一及び第二実施形態に係る傾斜測定器１・２と同様に、本測定器３を用いてグリーン全体の仮想傾斜角度を測定することもできるので、使用者は、グリーン全体の傾斜や起伏の状況を把握した上でアプローチショットを打つことが可能となる。また、第一及び第二実施形態に係る傾斜測定器１・２と同様に、本測定器３を用いて基準地点（ティーグラウンド上の所定地点）と目標地点（ピンがある地点）とのなす傾斜角度を測定することができるので、使用者は、ティーグラウンドに対するグリーン上のピンの相対的な位置を把握した上で、ティーショットを打つことが可能となる。
【符号の説明】
【００５２】
１・２・３…傾斜測定器
１０…薄板型容器
１１…上辺
１２…下辺
１５…ターゲットライン
１６…スケール（目盛り）
２１…比重の大きい液体（水平指示手段）
２２…比重の小さい液体（水平指示手段）
２３…境界線（水平線）
２４…回動片
２４ａ…腕部
２５…錘
３０…薄板型部材
３０ａ…凹部
３１…上辺
３２…下辺
４０…電子機器
４１…表示画面
４２…ターゲットライン
４３…水平線
４４…スケール（目盛り）
Ｃ…薄板型容器の中央部
Ｇ…グリーン（地面）
【図１】
2012202849.tif 000003
【図２】
2012202849.tif 000004
【図３】
2012202849.tif 000005
【図４】
2012202849.tif 000006
【図５】
2012202849.tif 000007
【図６】
2012202849.tif 000008
【図７】
2012202849.tif 000009
【図８】
2012202849.tif 000010
【図９】
2012202849.tif 000011
【図１０】
2012202849.tif 000012
【図１１】
2012202849.tif 000013